(57)【要約】【課題】フォーカルプレンシャッタにおいて、シャッタ羽根動作時に摩擦により発生する摩耗粉やゴミが撮像部に付着することを抑制可能な構成とする。【解決手段】フォーカルプレンシャッタにおいて、第１開口部を有する第１地板と、前記第１開口部に対向する位置に第２開口部を有する第２地板と、前記第１地板と前記第２地板とにより形成された羽根室に配置され、前記第１開口部及び前記第２開口部を覆う状態と開放する状態とを切り替える羽根と、前記第１地板に回転可能に取り付けられて前記羽根と連結具で連結されたアームと、を備え、前記第１地板及び前記第２地板の少なくとも一方は、前記羽根室側の面に前記連結具の移動軌跡に沿って形成された溝部を有し、前記溝部の底部には粘着剤が配置された構成とする。【選択図】図６
2020016813.tif 000002
【特許請求の範囲】
【請求項１】
第１開口部を有する第１地板と、
前記第１開口部に対向する位置に第２開口部を有する第２地板と、
前記第１地板と前記第２地板とにより形成された羽根室に配置され、前記第１開口部及び前記第２開口部を覆う状態と開放する状態とを切り替える羽根と、
前記第１地板に回転可能に取り付けられて前記羽根と連結具で連結されたアームと、を備え、
前記第１地板及び前記第２地板の少なくとも一方は、前記羽根室側の面に前記連結具の移動軌跡に沿って形成された溝部を有し、
前記溝部の底部には粘着剤が配置されている、
フォーカルプレンシャッタ。
【請求項２】
前記溝部は、前記溝部に沿って移動する前記連結具よりも広い幅を有する、
請求項１に記載のフォーカルプレンシャッタ。
【請求項３】
前記溝部は、前記溝部に沿って移動する前記連結具よりも狭い幅を有する、
請求項１に記載のフォーカルプレンシャッタ。
【請求項４】
前記溝部は、前記羽根の走行完了位置の近傍の前記連結具の移動軌跡に沿って形成される、
請求項１から請求項３のいずれか１項に記載のフォーカルプレンシャッタ。
【請求項５】
前記羽根が先羽根であって、
さらに後羽根を備える、
請求項１から請求項４に記載のフォーカルプレンシャッタ。
【請求項６】
撮像素子と、
請求項１から請求項５のいずれか１項に記載のフォーカルプレンシャッタと、
を備える撮像装置。
【請求項７】
撮像素子と、
請求項１から請求項６のいずれか１項に記載のフォーカルプレンシャッタと、を備え、
前記撮像素子は、前記後羽根よりも前記先羽根に近接して配置されている、
請求項６に記載のフォーカルプレンシャッタ。
【発明の詳細な説明】
【技術分野】
【０００１】
本発明の一態様は、カメラなどの撮像装置に用いられるフォーカルプレンシャッタなどに関する。
【背景技術】
【０００２】
シャッタ羽根によって開口部（露光開口、または画枠とも称する）を開閉することで撮像素子に対する露光を行うフォーカルプレンシャッタでは、地板とカバー板との間に形成された羽根室に配置されたシャッタ羽根を駆動機構により駆動することで開口部の開閉状態を変化させ、露光が行われる構成となっている。シャッタ羽根は、リベットなどの連結具でアームに連結され、アームの他端は駆動機構に連結される。シャッタの動作時には、駆動機構によりアームを介してシャッタ羽根に駆動力が伝達されることでシャッタ羽根が移動するが、このとき、連結具及びシャッタ羽根と地板との摩擦などにより、摩耗粉が発生することがある。また、シャッタ以外の部材からもゴミが発生することがある。これらの摩耗粉及びゴミが撮像素子に付着すると、撮像結果の品質が低下する原因となる。このような摩耗粉及びゴミへの対策を施した構成として、例えば特許文献１及び特許文献２に記載されたようなフォーカルプレンシャッタがあった。
【先行技術文献】
【特許文献】
【０００３】
【特許文献１】特開２０１７−４５０２０号公報
【特許文献２】特開２００３−２８００６６号公報
【発明の概要】
【発明が解決しようとする課題】
【０００４】
上記従来の構成のフォーカルプレンシャッタでは、摩耗粉及びゴミが撮像面に付着することを軽減させることが可能であったが、近年、画質向上に対するさらに高い要求がある。そのため、従来よりもさらに効果的に、摩耗粉及びゴミが撮像面に付着することを防止するための構成が求められている。
【課題を解決するための手段】
【０００５】
本発明は、上記課題を解決するために次のような手段を採る。なお、以下の説明において、発明の理解を容易にするために図面中の符号等を括弧書きで付記するが、本発明の各構成要素はこれらの付記したものに限定されるものではなく、当業者が技術的に理解しうる範囲にまで広く解釈されるべきものである。
【０００６】
本発明の一の手段は、
第１開口部を有する第１地板（１）と、
前記第１開口部に対向する位置に第２開口部を有する第２地板（２）と、
前記第１地板と前記第２地板とにより形成された羽根室に配置され、前記第１開口部及び前記第２開口部を覆う状態と開放する状態とを切り替える羽根（４）と、
前記第１地板に回転可能に取り付けられて前記羽根と連結具で連結されたアーム（６１）と、を備え、
前記第１地板及び前記第２地板の少なくとも一方は、前記羽根室側の面に前記連結具の移動軌跡に沿って形成された溝部（９ａ〜９ｄ）を有し、
前記溝部の底部には粘着剤（９ｅ、９ｆ）が配置されている、
フォーカルプレンシャッタである。
【０００７】
上記構成のフォーカルプレンシャッタによれば、羽根の動作の際の摩擦などによって発生した摩耗粉やゴミなどの塵埃を、溝部に配置された粘着部材により捕獲することが可能となる。これによって、塵埃が飛散して撮像素子に付着し、画質が低下することを防止することなどが可能となる。
【０００８】
上記フォーカルプレンシャッタにおいて、好ましくは、
前記溝部（９ａ〜９ｃ）は、前記溝部に沿って移動する前記連結具よりも広い幅を有する。
【０００９】
上記構成のフォーカルプレンシャッタによれば、連結具周辺から発生した摩耗粉などの塵埃を効率よく捕獲可能な構成となる。これにより、塵埃の飛散をより効果的に抑制することができる。
【００１０】
上記フォーカルプレンシャッタにおいて、好ましくは、
前記溝部（９ａ〜９ｃ）は、前記溝部に沿って移動する前記連結具よりも狭い幅を有する。
【００１１】
上記構成のフォーカルプレンシャッタによれば、溝部の幅が連結具よりも狭いため、連結具が溝部に入り込んだ状態になることを避けることができる。これにより、溝部と連結具との間の摩擦で動作に影響を及ぼしたり、摩耗粉を発生しやすくなったりすることを抑制しつつ、溝部で摩耗粉などの塵埃を捕獲可能な構成とすることができる。
【００１２】
上記フォーカルプレンシャッタにおいて、好ましくは、
前記溝部（９ａ〜９ｄ）は、前記羽根の走行完了位置の近傍の前記連結具の移動軌跡に沿って形成される。
【００１３】
上記構成のフォーカルプレンシャッタによれば、特に摩耗粉などの塵埃が発生したり飛散したりしやすい羽根の走行完了位置で発生した塵埃を効果的に捕獲しやすい構成にすることができる。これによって、さらに効果的に塵埃を捕獲可能な構成とすることができる。
【００１４】
上記フォーカルプレンシャッタにおいて、好ましくは、
前記羽根が先羽根であって、
さらに後羽根を備える。
【００１５】
上記構成のフォーカルプレンシャッタによれば、走行完了時に摩耗粉が特に発生しやすい先羽根のアームに連結された連結具に対して溝部を設けた構成とすることで、さらに効果的に塵埃を捕獲可能な構成とすることができる。また、後羽根よりも先羽根が撮像素子に近接して配置された場合には、特に塵埃の捕獲が重要となってくるため、本構成が特に効果的である。
【００１６】
上記いずれかのフォーカルプレンシャッタは、撮像素子を含んで構成されるカメラなどの撮像装置に好適に適用される。
【００１７】
上記のような撮像装置によれば、撮像素子などに摩耗粉やゴミなどが飛散することを抑制することが可能となる。これによって、撮像素子に摩耗粉やゴミなどが付着することを抑制することでき、撮像装置で撮像される画像の品質の低下を抑制することなどが可能となる。
【００１８】
上記いずれかのフォーカルプレンシャッタは、後羽根よりも先羽根に近接して配置された撮像素子を含んで構成されるカメラなどの撮像装置に、特に好適に適用される。
【００１９】
上記のような撮像装置によれば、先羽根が後羽根よりも撮像素子に近接して配置されており、先羽根の駆動により発生する塵埃の捕獲が重要となるが、先羽根用のアームの連結具の移動軌跡に沿った溝部を有する構成であるため、先羽根の駆動により発生する塵埃を効果的に捕獲可能であり特に効果的である。
【図面の簡単な説明】
【００２０】
【図１】図１は、実施形態のフォーカルプレンシャッタの羽根走行前の状態の平面図である。
【図２】図２は、実施形態のフォーカルプレンシャッタの羽根走行後の状態の平面図である。
【図３】図３は、実施形態のフォーカルプレンシャッタの断面図である。
【図４】図４は、実施形態の連結具近傍のフォーカルプレンシャッタの断面図である。
【図５】図５は、変形例１の連結具近傍のフォーカルプレンシャッタの断面図である。
【図６】図６は、変形例２の連結具近傍のフォーカルプレンシャッタの断面図である。
【図７】図７は、変形例３の連結具近傍のフォーカルプレンシャッタの断面図である。
【発明を実施するための形態】
【００２１】
本発明のフォーカルプレンシャッタは、デジタルカメラなどの撮像装置で利用されるものであり、フォーカルプレンシャッタの動作などにより発生する摩耗粉やゴミなどの塵埃を捕獲するための構成に特徴のひとつがある。具体的には、羽根とアームとを連結する連結具の移動軌跡に沿って、カバー板に溝部が形成されている点を特徴のひとつとしている。
【００２２】
本発明に係る実施形態について、以下の構成に従って図面を参照しながら具体的に説明する。ただし、以下で説明する実施形態はあくまで本発明の一例にすぎず、本発明の技術的範囲を限定的に解釈させるものではない。なお、各図面において、同一の構成要素には同一の符号を付しており、その説明を省略する場合がある。
１．実施形態
２．変形例
（１）変形例１
（２）変形例２
（３）変形例３
３．補足事項
【００２３】
＜１．実施形態＞
図１及び図２は、本実施形態のフォーカルプレンシャッタの平面図であって、図１は羽根走行前の状態を示し、図２は羽根走行後の状態を示している。図３は、本実施形態のフォーカルプレンシャッタの断面図である。図４は、先羽根４と先羽根用アーム６１との連結部分及び溝部９ａ近傍の拡大断面図である。
【００２４】
図１〜図４に示されるように、本実施形態のフォーカルプレンシャッタは、地板１、カバー板２、中間板３、先羽根４、後羽根５、先羽根用アーム６１及び６２、後羽根用アーム７１及び７２、先羽根用駆動ピン８１、並びに後羽根用駆動ピン８２を含んで構成される。先羽根用アーム６１は、連結具４ａ〜４ｃを含む複数の連結具によって先羽根４に連結されている。後羽根用アーム７１についても同様に複数の連結具によって後羽根５に連結されているが、ここではその具体的な説明を省略する。連結具４ａ〜４ｃを含む複数の連結具は例えばリベットなどの、かしめ用の部材であって、羽根ダボと呼ばれることがある。
【００２５】
図３に示されるように、地板１と中間板３との間に後羽根５が配置され、カバー板２と中間板３との間に先羽根４が配置される。また、図４に示されるように、カバー板２と先羽根４との間には、先羽根用アーム６１が配置される。先羽根用アーム６２も同様に、カバー板２と先羽根４との間に配置される。先羽根用駆動ピン８１及び後羽根用駆動ピン８２を指して「駆動ピン」ということがある。また、駆動ピンを含む、先羽根４及び後羽根５を駆動する構成を「駆動部８」という。また、先羽根４及び後羽根５を指して「羽根」ということがある。
【００２６】
＜地板１＞
地板１は、フォーカルプレンシャッタの基板部分であって、矩形状の開口部１ａを有している。図１に示されるように、地板１において、開口部１ａの側方位置（図の右側）には、後述する羽根室の外に駆動部８が搭載される。図示を省略しているが、地板１には駆動部８が搭載される。地板１は、円弧状に延びて形成された貫通孔である長孔１１及び１２を有する。長孔１１及び１２には、それぞれ先羽根用駆動ピン８１及び後羽根用駆動ピン８２が挿通して配置される。なお、開口部１ａは完全な矩形状でなくてもよいし、矩形以外の任意の形状を採用してもよい。開口部１ａは、本発明の「第１開口部」の一構成例である。
【００２７】
＜カバー板２＞
カバー板２は、地板１と対向する位置に、地板１に対して所定の間隔を空けて配置される。カバー板２は、フォーカルプレンシャッタが搭載された撮像装置において、撮像素子（図示省略）に近い位置に配置される。地板１とカバー板２との間には、中間板３、先羽根４、後羽根５、先羽根用アーム６１及び６２、並びに後羽根用アーム７１及び７２が配置される。地板１とカバー板２とにより形成された空間、または地板１及びカバー板２と中間板３とにより形成された空間を羽根室と称する。カバー板２は、地板１の開口部１ａに対向する位置に形成された開口部２ａを有する。開口部２ａは、開口部１ａと類似の矩形状であるが、完全な矩形状ではなくてもよいし、矩形以外の任意の形状であってもよい。カバー板２は、円弧状に延びて形成された貫通孔である長孔２１及び２２を有する。長孔２１及び２２は、地板１の長孔１１及び１２と重なるよう形成されている。開口部２ａは、本発明の「第２開口部」の一構成例である。
【００２８】
図４に示されるように、カバー板２は、地板１と対向する側の面に、溝部９ａを有する。溝部９ａは、カバー板２の、地板１側の面から凹んで形成された凹部である。溝部９ｂ及び９ｃも、溝部９ａと同様に形成されている。図１及び図２に示されるように、溝部９ａ〜９ｃは、平面視でそれぞれ連結具４ａ〜４ｃの移動軌跡に沿って形成されている。より具体的には、溝部９ａ〜９ｃは、先羽根４が走行した際、先羽根４が走行完了位置に達したときの連結具４ａ〜４ｃが位置する場所の近傍に形成される。
【００２９】
溝部９ａは、連結具４ａの頭部の径よりも小さい幅を有するよう形成される。より具体的には、溝部９ａは、連結具４ａの頭部の先端が、溝部の底部に接しない程度の深さ（奥行き）を持って形成される。
【００３０】
また、溝部９ａは、先羽根４の走行の際に、先羽根４を構成する４枚の羽根部材のうちの最後の羽根部材の端部が平面視で開口部１ａの端部を通過した後、先羽根４が動作を停止するまでの期間における連結具４ａ〜４ｃの移動軌跡をカバーするよう、形成されている。
【００３１】
＜中間板３＞
図４に示されるように、中間板３は、地板１とカバー板２との間に配置され、地板１との間と、カバー板２との間に、それぞれ後羽根５及び先羽根４を収容する。つまり、地板１と中間板３との間には後羽根５が配置され、カバー板２と中間板３との間には先羽根４が配置される。撮像装置に搭載される撮像素子から近い順に、カバー板２、先羽根４、中間板３、後羽根５、地板１、と配置されている。中間板３は、地板１の開口部１ａ及びカバー板２の開口部２ａに対向する位置に、矩形状の開口部３ａを有する。開口部１ａ及び２ａ同様、中間板３の開口部３ａも矩形状ではない任意の形状であってもよい。
【００３２】
＜先羽根４＞
先羽根４は、上記のようにカバー板２と中間板３との間に位置している。先羽根４は、複数の板状部材からなり、「先羽根群」と呼ばれることがある。先羽根４は、連結具４ａ〜４ｃを含む連結具を介して、先羽根用アーム６１及び６２に連結される。先羽根４は、先羽根用アーム６１及び６２を介して、先羽根用駆動ピン８１により駆動され、開口部１ａ、２ａ及び３ａにより形成される露光開口を覆う状態と開放する状態と（開閉状態）を切り替える。先羽根４は、後羽根５よりも撮像素子に近い位置に配置されている。先羽根４及び後羽根５は、それぞれアルミニウムなどの金属、カーボンファイバー、または樹脂により形成される。
【００３３】
＜後羽根５＞
後羽根５は、上記のように地板１と中間板３との間に位置している。後羽根５は、先羽根４と同様に複数の板状部材からなり、「後羽根群」と呼ばれることがある。後羽根５は、先羽根４と同様に連結具を介して、２つの後羽根用アーム７１及び７２に連結される。後羽根５は、先羽根４と同様、後羽根用アーム７１及び７２を介して、後羽根用駆動ピン８２により駆動され、開口部１ａ、２ａ及び３ａにより形成される露光開口を覆う状態と開放する状態とを切り替える。
【００３４】
＜先羽根用アーム６１及び６２＞
先羽根用アーム６１は、先羽根用駆動ピン８１と先羽根４との間に配置され、連結具４ａ〜４ｃを含む複数の連結具によって先羽根４に連結される。先羽根用アーム６２は、先羽根用アーム６１と同様の連結具によって先羽根４に連結される。これにより先羽根用アーム６１は、駆動部８から先羽根用駆動ピン８１を介して与えられた駆動力を先羽根４に伝達する。先羽根用アーム６２は、直接的には駆動力が与えられないが、先羽根４を介して先羽根用アーム６１の動きに合わせて作動する。先羽根用アーム６１は地板１上に配置された軸６１ａに連結され、先羽根用アーム６２は地板１上に配置された軸６２ａに連結される。先羽根４が動作する際、連結具４ａ〜４ｃは、軸６１ａを中心としてそれぞれ円弧状に移動する。
【００３５】
＜後羽根用アーム７１及び７２＞
後羽根用アーム７１及び７２は、後羽根用駆動ピン８２と後羽根５との間に配置され、連結具７３を含む複数の連結具によって後羽根５に連結される。これにより後羽根用アーム７１は、駆動部８で発生した駆動力を後羽根５に伝達する。後羽根用アーム７２は、後羽根５を介して後羽根用アーム７１に合わせて作動する。後羽根用アーム７１は、地板１上に配置された軸７１ａに連結され、後羽根用アーム７２は、地板１上に配置された軸７２ａに連結される。
【００３６】
＜先羽根用駆動ピン８１、後羽根用駆動ピン８２＞
先羽根用駆動ピン８１及び後羽根用駆動ピン８２は、地板１の側方部に一部または全部が配置された駆動部８の一部である。先羽根用駆動ピン８１及び後羽根用駆動ピン８２は、それぞれ地板１に形成された長孔２１及び２２の領域を移動する。駆動部８は、外部から与えられる電力によって作動して、先羽根用駆動ピン８１及び後羽根用駆動ピン８２に動力を伝達する。先羽根用駆動ピン８１及び後羽根用駆動ピン８２は、それぞれ先羽根用アーム６１及び後羽根用アーム７１を介して、先羽根４及び後羽根５を駆動する。
【００３７】
＜駆動部８＞
駆動部８は、例えば、永久磁石、ヨーク、コイル、及びコイルばねなどを含み、与えられた電力によって作動する、従来から知られる電磁アクチュエータなどを含む。また、駆動部８はモータを含んでいてもよい。
【００３８】
本実施形態のフォーカルプレンシャッタは、平面視で開口部１ａ、２ａ及び３ａ（露光開口）と重なる位置であって、被写体とは逆側（光軸方向後方）に撮像素子を備える撮像装置（カメラ）に用いられる。撮像素子は、フォーカルプレンシャッタにおいて地板１よりもカバー板２に近い位置の、基板上に搭載される。撮像素子は、例えばＣＭＯＳセンサ、またはＣＣＤなどの光電変換素子である。なお、撮像素子は本発明の「撮像部」の一構成例である。
【００３９】
上記本実施形態のフォーカルプレンシャッタは、連結具４ａ〜４ｃの移動軌跡にそって溝部９ａ〜９ｃが形成されており、この溝部が連結具４ａ〜４ｃよりも狭い幅を有する構成になっている。そのため、連結具４ａ〜４ｃの動作の際に発生した摩耗粉などの塵埃を溝部で捕獲しながら、この溝部に連結具４ａ〜４ｃが重なった状態となり、過剰な摩擦が発生することを避けることができる。これにより、溝部９ａ〜９ｃと連結具４ａ〜４ｃとの間の摩擦で羽根の動作に影響を及ぼしたり、摩耗粉を発生しやすくなったりすることを抑制しつつ、溝部で摩耗粉などの塵埃を捕獲可能な構成となっている。
【００４０】
また、本実施形態のフォーカルプレンシャッタでは、溝部９ａ〜９ｃが、先羽根４の走行完了位置の近傍における連結具４ａ〜４ｃの移動軌跡に沿って形成されている。そのため、特に摩耗粉などの塵埃が発生したり飛散したりしやすい先羽根４の走行完了位置で発生した塵埃を効果的に捕獲しやすい構成にすることができる。これによって、さらに効果的に塵埃を捕獲可能な構成となっている。
【００４１】
また、本実施形態のフォーカルプレンシャッタでは、後羽根５ではなく先羽根４について、上記のような溝部９ａ〜９ｃを設けた構成としているため、走行完了時に摩耗粉が特に発生しやすい先羽根用アーム６１に連結された連結具４ａ〜４ｃに対して溝部９ａ〜９ｃを設けた構成とすることで、さらに効果的に塵埃を捕獲可能な構成となっている。また、複数の連結具を構成する連結具４ａ〜４ｃ以外の連結具についても同様に溝部を設けてもよいし、先羽根用アーム６２に連結された複数の連結具に対して溝部を設ける構成としてもよい。また、先羽根４は撮像素子に近接して配置されているため、特に先羽根４側で発生した塵埃が撮像素子に付着するおそれが高いため、本実施形態の構成が特に有用である。
【００４２】
なお、後羽根５についても、本実施形態の先羽根４に対する複数の溝部と同様の構成を採用してもよい。例えば、後羽根５が撮像素子に近接して配置された場合には、後羽根５に対して本実施形態の構成を採用すると効果的である。
【００４３】
＜２．変形例＞
次に、本発明の実施形態の変形例１〜３について説明する。これらの変形例は、実施形態と比較して、溝部９ａ〜９ｃの構成などが異なっている。以下の説明では、実施形態との相違点について説明し、実施形態と共通な部分については説明を省略する。
【００４４】
＜（１）変形例１＞
図５は、変形例１のフォーカルプレンシャッタにおける、先羽根４と先羽根用アーム６１との連結部分及び溝部９ｄ近傍の拡大断面図である。溝部９ｄは、実施形態の溝部９ａに対応する。図５に示されるように、本変形例では、溝部９ｄが、連結具４ａの頭部の径よりも広い（大きい）幅を有するように形成される。実施形態の溝部９ｂ及び９ｃに対応する溝部も同様の構成となっている。
【００４５】
このような構成とすることで、連結具４ａの近傍から発生する摩耗粉などの塵埃をより確実に捕獲可能な構成とすることができる。
【００４６】
＜（２）変形例２＞
図６は、変形例２のフォーカルプレンシャッタにおける、先羽根４と先羽根用アーム６１との連結部分及び溝部９ａ近傍の拡大断面図である。カバー板の２の溝部９ａの底部には、粘着剤９ｅが配置される。粘着剤９ｅは、溝部９ａから突出しないようよう、厚み方向において、溝部９ａの深さよりも薄い厚さで形成されている。実施形態の溝部９ｂ及び９ｃに対応する溝部についても同様に粘着剤が配置される。
【００４７】
＜（３）変形例３＞
図７は、変形例３のフォーカルプレンシャッタにおける、先羽根４と先羽根用アーム６１との連結部分及び溝部９ｄ近傍の拡大断面図である。本変形例では、変形例１と同様に連結具４ａの頭部の径よりも広い（大きい）幅を有しており、溝部９ｄの底部には粘着剤９ｆが配置される。粘着剤９ｆは、溝部９ｄから突出しないようよう、厚み方向において、溝部９ｄの深さよりも薄い厚さで形成されている。実施形態の溝部９ｂ及び９ｃに対応する溝部についても同様に粘着剤が配置される。
【００４８】
変形例２及び３の構成では、溝部９ａ〜９ｃまたは９ｄの底部に粘着剤を配置しているため、先羽根４の動作の際の摩擦などによって発生した摩耗粉やゴミなどの塵埃を、溝部９ａ〜９ｃまたは９ｄに配置された粘着剤９ｅまたは９ｆにより捕獲することが可能となる。これによって、塵埃が飛散して撮像素子に付着し、画質が低下することを防止可能な構成となっている。
【００４９】
また、変形例３では、溝部９ｄが連結具４ａの頭部の径よりも広い（大きい）幅を有するよう形成されている。そのため、連結具４ａの周辺から発生した摩耗粉などの塵埃を効率よく捕獲可能なとなり、塵埃の飛散をより効果的に抑制可能な構成となっている。
【００５０】
また、変形例２では、溝部９ａが連結具４ａの頭部の径よりも狭い（小さい）幅を有しつつ、溝部９ａの底部に粘着剤９ｅが配置されている。そのため、連結具４ａの作動中に、連結具が粘着剤９ｅに接触する可能性を抑制できる。さらに、溝部９ａで摩耗粉などの塵埃を確実に捕獲しつつ、溝部９ａに落ちた塵埃が飛散することを抑制することができ、より効果的に塵埃を捕獲可能な構成となっている。
【００５１】
＜３．補足事項＞
以上、本発明の実施形態についての具体的な説明を行った。上記説明は、あくまで一実施形態としての説明であって、本発明の範囲はこの一実施形態に留まらず、当業者が把握可能な範囲にまで広く解釈されるものである。
【００５２】
上記実施形態及び各変形例のフォーカルプレンシャッタは、撮像素子を含んで構成されたカメラなどの撮像装置に好適に適用される。特に、先羽根４が後羽根５よりも撮像素子に近接して配置された構成の場合には、先羽根４の駆動により発生する塵埃の捕獲が重要となるが、先羽根用アーム６１の連結具４ａ〜４ｃの移動軌跡に沿った溝部９ａ〜９ｃを有する構成とすることで、先羽根４の駆動により発生する塵埃を効果的に捕獲可能であり効果的である。
【００５３】
また、実施形態のフォーカルプレンシャッタでは、先羽根４が、後羽根５よりも撮像素子に近接するよう配置される構成を想定した説明としているが、先羽根４よりも後羽根５が撮像素子に近接する構成であっても、塵埃捕獲に一定の効果が得られる。
【００５４】
また、実施形態のフォーカルプレンシャッタでは、中間板３を有する構成例を説明したが、中間板３を有さない構成を採用してもよい。その場合、羽根は先羽根４又は後羽根５のいずれか一方を設けた構成を採用してもよい。
【００５５】
また、上記の実施形態の変形例において溝部に配置される粘着剤は、粘着性により塵埃を捕獲するものには限られず、静電性を備えることで塵埃を付着させる素材のものを採用してもよい。ただし、摩耗粉やゴミなどを吸着する能力に比較的優れた粘着性を有する粘着剤を用いることが好ましい。
【００５６】
また、実施形態では、フォーカルプレンシャッタに備えられる先羽根４及び後羽根５は、それぞれ複数の羽根部材を有する構成として説明したが、先羽根４及び後羽根５は、それぞれ一枚の羽根部材を有する構成であってもよい。
【産業上の利用可能性】
【００５７】
本発明は、デジタルカメラなどの撮像装置のフォーカルプレンシャッタなどとして好適に適用される。
【符号の説明】
【００５８】
１…地板
１ａ…開口部
１１、１２…長孔
２…カバー板
２ａ…開口部
２１、２２…長孔
３…中間板
３ａ…開口部
４…先羽根
４ａ〜４ｃ…連結具
５…後羽根
６１、６２…先羽根用アーム
６１ａ、６２ａ…軸
７１、７２…後羽根用アーム
７１ａ、７２ａ…軸
７３…連結具
８…駆動部
８１…先羽根駆動ピン
８２…後羽根用駆動ピン
９ａ〜９ｄ…溝部
９ｅ、９ｆ…粘着剤
【図１】
2020016813.tif 000003
【図２】
2020016813.tif 000004
【図３】
2020016813.tif 000005
【図４】
2020016813.tif 000006
【図５】
2020016813.tif 000007
【図６】
2020016813.tif 000008
【図７】
2020016813.tif 000009